(57)【要約】      （修正有）【課題】色々な箇所への設置が容易に出来て、ティッシュボックスの設置や交換が容易に出来るティッシュボックスホルダーを提供する。【解決手段】長方体のティッシュボックスホルダー本体の中心部で切離しが出来る凹凸の結合部１１・２１、１２・２２と、両側面に保持部１３、２３を設けるとともに、本体の上面部と底面部に取出口１０、２０を設け、ティッシュボックスホルダー本体の両側面の凹凸部を切離し分割が出来るとともに、分割した各々のティッシュボックスホルダー本体の収納部１７にティッシュボックスを収納し、側面の保持部を介して色々な取出したい位置への設置を可能とする。【選択図】図８
0003211185.tif 000002
【実用新案登録請求の範囲】
【請求項１】
長方体のティッシュボックスホルダー本体の中心部で２分割されており、その分割した各々のティッシュボックスホルダーを結合する凹凸形状の結合部を両側面に設けるとともに、ティッシュボックスホルダー側面の凹凸部を切離すことで、分割が出来る構造を特徴とするティッシュボックスホルダー。
【請求項２】
分割した各々のティッシュボックスホルダー側面の凹部に凸部を、対面の凸部に凹部を結合することで、組立てが出来る構造の請求項１記載のティッシュボックスホルダー。
【請求項３】
分割したティッシュボックスホルダー側面の保持部を介して、テーブルや吊り戸棚、柱や壁面の側面や下面に、横向き又は、縦向きに設置が出来る構造の請求項１記載のティッシュボックスホルダー。
【請求項４】
分割した各々のティッシュボックスホルダーは同型の形状をしており、各々のティッシュボックスホルダーを単体としも使用が出来る構造の請求項１記載のティッシュボックスホルダー。
【考案の詳細な説明】
【技術分野】
【０００１】  本考察は、長方体の中心部で結合する凹凸部を両側面に設け、分割と組立てを可能としたティッシュボックスに関するものである。
【背景技術】
【０００２】  従来、ティッシュペーパを手近い場所に設置するため、テーブルや吊り戸棚の下面に、ホルダー等を介しティッシュボックスを横向きにして吊り下げたり、壁面の側面に縦にして吊り下げるカバータイプの袋物や、ティッシュペーパ取出口を利用して縦に吊り下げるホルダー等を介してティッシュペーパを設置していた。
【先行技術文献】
【特許文献】
【０００３】
【特許文献１】特開２０１６−１６９０５０
【考案の概要】
【考案が解決しようとする課題】
【０００４】  ティッシュペーパは手近い場所にあり、取出しやすく、収納や交換が容易であることが望ましい。しかし従来のティッシュボックスホルダーでどこにでも設置しやすいものは、取出口が側方に向いた状態で反側方からのティッシュペーパが取出しにくく、収納や交換が面倒であった。【０００５】  収納や交換の為の、カバーのかけ外しや、ティッシュボックスホルダーの付替えが面倒であり、ティッシュボックスボックスを吊下げる対象もフックなどの突起状のものに限定されるなどの問題があった。
本発明は、従来出来なかった手近い色々な場所に設置が出来、ティッシュペーパの収納や交換が容易に出来る、ティッシュボックスホルダーを提供するものである。
【課題を解決するための手段】
【０００６】  本考察は、長方体ティッシュボックスホルダーの中心部で結合する凹凸形状の結合部と保持部を両側面に設けるとともに、ティッシュボックスホルダーの側面の凹凸部を切離すことで分割が出来るとともに、分割した各々のティッシュボックスホルダー側面の凹部に凸部を、対面の凹部に凸部を突き合わせ組立て、本体側面の保持部を介して、あらゆる箇所に設置が可能となり、本課題の問題を解決している。
【考案の効果】
【０００７】  上記の様に、本考察のティッシュボックスホルダーは一般的な設置のティッシュペーパの取出しは勿論、本体の両側面に保持部を設けたことにより、テーブルや吊り戸棚の下面、壁面や柱の側面への設置ができ、しかも取出口を上面と底面を設けたので、ティッシュペーパを取出したい方向に設置や、交換ができることにより利便性が向上している。
【図面の簡単な説明】
【０００８】
【図１】ティッシュボックスホルダーを組立てた正面図である。
【図２】ティッシュボックスホルダーを組立てた背面図である。
【図３】ティッシュボックスホルダーを組立てた右側面図である。
【図４】ティッシュボックスホルダーを組立てた左側面図である。
【図５】ティッシュボックスホルダーを組立てた平面図である。
【図６】ティッシュボックスホルダーを組立てた底面図である。
【図７】ティッシュボックスホルダーを組立てた斜視図である。
【図８】ティッシュボックスホルダーの分割した斜視図である。
【図９】ティッシュボックスホルダーにティッシュボックスを収納した、組立の実施例を示す斜視図である。
【図１０】分割ティッシュボックスホルダーにティッシュボックスを収納した、実施例を示す斜視図である。
【考案を実施するための形態】
【０００９】  長方体のティッシュボックスホルダー本体両側面に設けた凹凸部と保持部、本体の上面部と底面部に取出口を有し、本体を中心に切離すことが出来る分割構造で、長方体のティッシュボックスホルダーを同型に分割に出来る。
又、ティッシュボックスホルダー両側面に設けた凹部と凸部を、対面の凸部と凹部を結合させ、本体側面に設けた保持部を介して、意図する箇所に設置ができる。
【００１０】  上記のティッシュボックスホルダー上面と底面に設けた取出口の向きを、ティッシュペーパを取出したい方向に設置することができる。
【実施例１】
【００１１】  以下、添付図面に従って、実施例を説明する。
図７の、ティッシュボックスホルダー１は耐久性、防虫性の木材等の適宣素材にて長方体に組立され、ティッシュボックスホルダー１の片方の側面部１４に装着凹部１１と装着凸部２２、他方の側面部２４に、装着凹部１２と装着凸部２１、両側面の保持部２３・１３を、本体の上面部１５と底面部１６に取出口１０・２０を有し、ティッシュボックスホルダー１の本体を中心に組立てをした斜視図である。【００１２】  図８は、長方体のティッシュボックスホルダー１の側面部１４・２４を中心に切離した、分割ティッシュボックスホルダー２・２Ａは同型の形状で、中心の収納部１７にティッシュボックス３を収納する空間である。【００１３】  図９は、各々に分割した分割ティッシュボックスホルダー２、２Ａの収納部１７にティッシュボックス３を収納し、組立てたティッシュボックスホルダー１の一般的な使用の斜視図である。【００１４】  図１０は、分割ティッシュボックスホルダー２の側面部２４に設けた、保持部１３に図示をしないがフック等介して、縦方向の意図する箇所に設置し、収納部１７にティッシュボックス３を収納し、取出口１０からティッシュペーパ４の取出しが出来る、分割ティッシュボックスホルダー２を単体で使用した斜視図である。
又、分割ティッシュボックスホルダー２の取出口２０側に、ティッシュボックス３を収納することで、ティッシュペーパ４を取出口２０側からの取出しが可能となる。【００１５】  ティッシュボックスホルダー１の素材としては、木材等の適宣素材で製作されるが、例えばヒノキの独特の森林の香りや、木肌の上品な白さの美しさで癒される効果がある。
【符号の説明】
【００１６】  １  ティッシュボックスホルダー
２・２Ａ  分割ティッシュボックスホルダー
３  ティッシュボックス
４  ティッシュペーパ
１０・２０  取出口
１１・２１  装着凹部
１２・２２  装着凸部
１３・２３  保持部
１４・２４  側面部
１５  上面部
１６  底面部
１７  収納部
１８  前面部
１９  後面部
【図１】
0003211185.tif 000003
【図２】
0003211185.tif 000004
【図３】
0003211185.tif 000005
【図４】
0003211185.tif 000006
【図５】
0003211185.tif 000007
【図６】
0003211185.tif 000008
【図７】
0003211185.tif 000009
【図８】
0003211185.tif 000010
【図９】
0003211185.tif 000011
【図１０】
0003211185.tif 000012